(57)【要約】【課題】通信端末と通信ポートとの対応関係を判りやすくして利便性を向上する。【解決手段】統合管理装置ＴＭでは、表示制御装置ＣＶから受け取った名称割当データに基づいて選択された通信ポート２2の名称として、名称割当手段たる制御部１が名称割当データに含まれている文字列（「子供部屋」）のテキストデータを割り当てて記憶部５に記憶する（１１）。これ以降、通信ポート２2で異常が発生した際、制御部１が通信ポート２2に割り当てられている名称（「子供部屋」）を記憶部５から読み出し、特定情報として表示制御装置ＣＶに通知するため、通信端末と通信ポート２2の対応関係が利用者に判りやすくなる。【選択図】図１
2007259301.tif 000002
【特許請求の範囲】
【請求項１】
宅内に設置された複数の通信端末とともに通信システムを構成するネットワーク装置であって、
伝送路を介して前記通信端末が接続される複数の通信ポートと、該通信ポートより前記伝送路を介してデータ通信を行う通信手段と、各通信ポートに名称を割り当てる名称割当手段とを備えたことを特徴とするネットワーク装置。
【請求項２】
操作入力を受け付ける操作入力受付手段を備え、
前記名称割当手段は、前記操作入力受付手段で受け付けた操作入力に応じた名称を割り当てることを特徴とする請求項１記載のネットワーク装置。
【請求項３】
前記名称割当手段は、前記通信端末から送信され前記通信手段で受信したデータに応じた名称を割り当てることを特徴とする請求項１記載のネットワーク装置。
【請求項４】
前記名称割当手段は、前記データを受信した通信ポートに対してのみ当該データに応じた名称を割り当てることを特徴とする請求項３記載のネットワーク装置。
【請求項５】
前記名称割当手段は、前記通信端末の要求に応じて、前記通信ポートに割り当てられている名称並びに当該通信ポートに接続されている前記通信端末の種類を少なくとも含む名称割当情報を前記通信手段に送信させることを特徴とする請求項３又は４記載のネットワーク装置。
【請求項６】
宅内に設置された複数の通信端末と、請求項３〜５の何れかのネットワーク装置と、宅内に配設され前記ネットワーク装置の通信ポートに前記伝送路たる通信ケーブルを挿抜自在に接続するための１乃至複数の情報コンセントとを備えた通信システムであって、
前記情報コンセントは、操作入力を受け付けるとともに当該操作入力に応じたデータを前記ネットワーク装置に送信し、
前記名称割当手段は、前記情報コンセントから送信され前記通信手段で受信したデータに応じた名称を割り当てることを特徴とする通信システム。
【発明の詳細な説明】
【技術分野】
【０００１】
本発明は、宅内に設置された複数の通信端末とともに通信システムを構成するネットワーク装置、並びにその通信システムに関するものである。
【背景技術】
【０００２】
近年、インターネットの普及に伴ってウイルスやワームなどの不正なプログラムや、ＤｏＳ（Denial of Services：サービス距離攻撃）と呼ばれる不正なアクセスが急増しており、例えば、インターネットに接続されるパーソナルコンピュータには、ウイルスやワームなどの不正なプログラムを検出する機能（いわゆるウイルスチェック機能）などのセキュリティ機能が必須となっている。また、冷蔵庫やテレビ受像機などの機器にデータ伝送機能を付加して通信ケーブルのような伝送路に各機器を接続し、個々の機器間で伝送路を介したパケット交換を行ったり、あるいは伝送路に接続された外部の通信網（インターネットなど）から各機器を制御するといったことが行われている（例えば、特許文献１参照）。
【０００３】
ところで、コンピュータネットワークのような通信システムにおいては、利用者自らがパケットに対する処理（主にウイルスチェックなどのセキュリティに関する処理）の要否を判断して設定することが一般的に行われているが、上述のような機器を含む通信システムにおいては、セキュリティ機能を有する機器と有しない機器とが混在しており、セキュリティ機能を有しない機器に代わってセキュリティに関する処理を行うネットワーク装置が必要となる。
【０００４】
かかるネットワーク装置は、例えば、通信ケーブルが接続される複数の通信ポートと、通信ポートより通信ケーブルを介してデータ通信を行う通信手段と、通信ポート毎にデータ通信の状況を監視して不正なデータ通信が行われている通信ポートを遮断若しくは制限する通信ポート制御手段と、通信ポート制御手段によって遮断若しくは制限された通信ポートを特定するための特定情報を通信手段よりパーソナルコンピュータなどの通信端末に通知する通知手段とを備えている。すなわち、何れかの通信ポートで不正なデータ通信が行われた場合、ネットワーク装置が当該通信ポートを遮断若しくは制限するとともに当該通信ポートの特定情報を通信端末に通知するから、何れの通信ポートが遮断若しくは制限されたかを前記特定情報によって利用者に知らせることができるのである。
【特許文献１】特開２００１−３５０６７６号公報
【発明の開示】
【発明が解決しようとする課題】
【０００５】
しかしながら、従来のネットワーク装置では通信ポートを特定するための特定情報として単なる番号が使われているため、利用者には通信ポートと当該通信ポートに接続されている通信端末（機器）との対応が判りづらく、利便性が低いという問題があった。
【０００６】
本発明は上記事情に鑑みて為されたものであり、その目的は、通信端末と通信ポートとの対応関係を判りやすくして利便性を向上したネットワーク装置並びに通信システムを提供することにある。
【課題を解決するための手段】
【０００７】
請求項１の発明は、上記目的を達成するために、宅内に設置された複数の通信端末とともに通信システムを構成するネットワーク装置であって、伝送路を介して前記通信端末が接続される複数の通信ポートと、該通信ポートより前記伝送路を介してデータ通信を行う通信手段と、各通信ポートに名称を割り当てる名称割当手段とを備えたことを特徴とする。
【０００８】
請求項２の発明は、請求項１の発明において、操作入力を受け付ける操作入力受付手段を備え、前記名称割当手段は、前記操作入力受付手段で受け付けた操作入力に応じた名称を割り当てることを特徴とする。
【０００９】
請求項３の発明は、請求項１の発明において、前記名称割当手段は、前記通信端末から送信され前記通信手段で受信したデータに応じた名称を割り当てることを特徴とする。
【００１０】
請求項４の発明は、請求項３の発明において、前記名称割当手段は、前記データを受信した通信ポートに対してのみ当該データに応じた名称を割り当てることを特徴とする。
【００１１】
請求項５の発明は、請求項３又は４の発明において、前記名称割当手段は、前記通信端末の要求に応じて、前記通信ポートに割り当てられている名称並びに当該通信ポートに接続されている前記通信端末の種類を少なくとも含む名称割当情報を前記通信手段に送信させることを特徴とする。
【００１２】
請求項６の発明は、上記目的を達成するために、宅内に設置された複数の通信端末と、請求項３〜５の何れかのネットワーク装置と、宅内に配設され前記ネットワーク装置の通信ポートに前記伝送路たる通信ケーブルを挿抜自在に接続するための１乃至複数の情報コンセントとを備えた通信システムであって、前記情報コンセントは、操作入力を受け付けるとともに当該操作入力に応じたデータを前記ネットワーク装置に送信し、前記名称割当手段は、前記情報コンセントから送信され前記通信手段で受信したデータに応じた名称を割り当てることを特徴とする。
【発明の効果】
【００１３】
請求項１の発明によれば、名称割当手段によって任意の名称を通信ポートに割り当てることができるから、通信端末と通信ポートとの対応関係を判りやすくして利便性が向上できる。
【００１４】
請求項２の発明によれば、ネットワーク装置が備える操作入力受付手段を使って通信ポートの名称を割り当てるため、名称の割当作業が簡単になる。
【００１５】
請求項３の発明によれば、例えば、キーボードのような操作入力受付手段を具備する通信端末（パーソナルコンピュータ）を使って離れた場所から通信ポートの名称を割り当てることができて名称の割当作業がさらに簡単になる。
【００１６】
請求項４の発明によれば、名称を割り当てる通信ポートが限定されることにより、誤って意図しない名称が割り当てられるのを防止できる。
【００１７】
請求項５の発明によれば、通信端末を使って名称を割り当てる際、通信ポートに割り当てられている名称並びに当該通信ポートに接続されている通信端末の種類を少なくとも含む名称割当情報を参照することができて名称の割当作業がさらに簡単になる。
【００１８】
請求項６の発明によれば、通常、パーソナルコンピュータのような汎用の通信端末は、宅内に配設されている情報コンセントに通信ケーブルを接続することでネットワーク装置の通信ポートに接続されるものであり、かかる情報コンセントを使って離れた場所から通信ポートの名称を割り当てることができて名称の割当作業がさらに簡単になる。
【発明を実施するための最良の形態】
【００１９】
以下、住宅設備の制御並びに監視を行う住宅設備監視制御システムに本発明の技術思想を適用した実施形態について、図面を参照して詳細に説明する。
【００２０】
本実施形態の住宅設備監視制御システム（通信システム）は、図２に示すように住宅内に設置されたコントローラＣ１，Ｃ２，Ｃ３が住宅設備の制御並びに監視を行う複数（図示例では３つ）のサブシステムＳＳ１，ＳＳ２，ＳＳ３と、各サブシステムＳＳｎのコントローラＣｎ（ｎ＝１，２，３）と伝送路（エンハンスト・カテゴリ５若しくはカテゴリ６のＬＡＮケーブル）を介して接続されるネットワーク装置（統合管理装置ＴＭ）と、統合管理装置ＴＭにＬＡＮケーブルを介して接続される複数（図示例では、２つ）の端末装置（パーソナル・コンピュータＰＣ並びに表示制御装置ＣＶ）とを備え、これら複数のコントローラＣと統合管理装置ＴＭと端末装置とが汎用の通信プロトコル（ＴＣＰ／ＩＰ、ＵＤＰ、ＨＴＴＰなど）を利用した宅内ネットワークを構成している。この宅内ネットワークは、100BASE-TX（IEEE 802.3u）規格に準拠したローカルエリアネットワーク（ＬＡＮ）であって、通信端末に相当する各サブシステムＳＳｎのコントローラＣｎや端末装置（パーソナルコンピュータＰＣ並びに表示制御装置ＣＶ）が、ネットワーク装置に相当する統合管理装置ＴＭにスター配線で接続されている。さらに統合管理装置ＴＭは、インターネットに接続するための回線の種類（電話回線、ＣＡＴＶ回線、光ファイバ回線など）に応じてＡＤＳＬモデムやケーブルモデムあるいはＯＮＵ（Optical Network Unit）などのインターネット接続装置ＭＤと通信ケーブル（通常、ＬＡＮケーブル）によって接続され、インターネット接続装置ＭＤが介在することで宅内ネットワークが外部ネットワークたるインターネットに接続される。
【００２１】
また、宅内ネットワークには住宅から離れた遠隔地に設置されたセンタ装置（センタサーバ）ＳＶがインターネットを通じて接続されており、後述するようにインターネットに接続可能なノート型のパーソナルコンピュータ、携帯電話機ＭＰ、ＰＤＡ（Personal Digital Assistance）等からなる携帯型の端末装置とセンタ装置ＳＶとの間でインターネットを介したデータ通信を行うことにより、例えば、携帯電話機ＭＰを使って外出先から住宅設備の制御や監視を行うことができる。センタ装置ＳＶは、ネットワーク機能を有する汎用のコンピュータ装置で構成されており、携帯電話機ＭＰ等の端末装置からインターネットを通じて送信されるコントローラＣｎ宛のメッセージやコントローラＣｎから宅内ネットワークに属さない端末装置に宛て送信されるメッセージを中継する機能を有している。但し、上述のようなインターネット接続機能を有する携帯型の端末装置やセンタ装置ＳＶは従来周知であるから、詳細な構成についての図示並びに説明は省略する。
【００２２】
ネットワーク装置である統合管理装置ＴＭは、図１に示すようにそれぞれにＬＡＮケーブルを介してサブシステムＳＳｎのコントローラＣｎが接続される複数の通信ポート２i（ｉ＝１，２，…）と、ＬＡＮケーブルを介してインターネット接続装置ＭＤが接続される通信ポート３と、通信ポート２i，３間の伝送経路を切り換えるとともに通信ポート２i，３間で転送されるパケットの破棄や通信ポート２i又は３の遮断若しくは制限等の処理（以下、パケット処理と呼ぶ。）を実行するパケット処理部４と、ＣＰＵを主構成要素としパケット処理部４を制御して伝送経路を切り換えさせる機能（経路切換機能）やパケットに対するウイルスチェックやフィルタリング等を実行する機能（ネットワークセキュリティ機能）、サブシステムの構成管理機能（後述する）等を有する制御部１と、コントローラＣｎやインターネット接続装置ＭＤのＭＡＣ（Media Access Conrol：媒体アクセス制御）アドレスやネットワークアドレス（プライベートのＩＰアドレス）、各サブシステムＳＳｎに関する制御情報や監視情報を記憶するための記憶部５とを備えている。通信ポート２i，３は、ＬＡＮケーブルの先端に設けられているＲＪ−４５のモジュラプラグが挿抜自在に接続されるモジュラジャックを具備している。また、パケット処理部４は多数のスイッチ要素を具備し、制御部１の経路切換機能によってスイッチ要素が駆動されることにより任意の１つの通信ポート２i又は３と他の１乃至複数の通信ポート２i又は３との間の伝送経路を切り換えたり、あるいは制御部１のネットワークセキュリティ機能によって異常（例えば、不正なパケットやネットワークに支障を来すほど大量のパケットの流入または流出）が生じている通信ポート２i又は３を遮断若しくは制限するものである。記憶部５は不揮発性メモリからなり、各通信ポート２iに接続されているコントローラＣｎや端末装置並びに通信ポート３に接続されているインターネット接続装置ＭＤのＭＡＣアドレスやネットワークアドレスを各通信ポート２i，３と対応させて記憶している。但し、通信ポート２i，３に接続されているコントローラＣｎや端末装置並びにインターネット接続装置ＭＤのＭＡＣアドレスを取得する方法については従来周知であるから詳細な説明は省略する。また、各コントローラＣｎや端末装置のネットワークアドレス、すなわち、プライベート（あるいはローカルとも言う。）のＩＰアドレスについては、制御部１がＤＨＣＰ（Dynamic Host Configuration Protocol）を用いて自動的に割り当てるようになっている。但し、ＤＨＣＰを用いたネットワークアドレスの自動割り当てについても従来周知であるから詳細な説明は省略する。
【００２３】
制御部１は、通信ポート２i，３からパケット処理部４に入ってくるパケットの送信先のアドレス（ＭＡＣアドレス）を監視しており、例えば、通信ポート３から入ってきたパケットの送信先のアドレスを記憶部５に記憶しているＭＡＣアドレスと照合し、送信先のアドレスと一致するＭＡＣアドレスのコントローラＣｎや端末装置（例えば、コントローラＣ１）が接続されている通信ポート２1と通信ポート３との間にのみ伝送経路が形成されるようにパケット処理部４を制御し、形成された伝送経路を介してパケットを通信ポート２1に送り出させている（経路切換機能）。また、制御部１では、通信ポート２i，３を通過するパケットを常時監視し、異常なパケットを破棄したり、あるいは上述のようにパケット処理部４を制御して異常が生じている通信ポート２i又は３を遮断若しくは制限させている（ネットワークセキュリティ機能）。さらに、制御部１はＵＰｎＰ（ユニバーサル・プラグ・アンド・プレイ）のコントロールポイントの機能を実装しており、後述するようにＵＰｎＰにおいてデバイスの検出を行うＳＳＤＰ（Simple Service Discovery Protocol）を利用してＵＰｎＰのデバイスに相当する各コントローラＣｎを自動的に検出するようになっている。
【００２４】
ところで、統合管理装置ＴＭは、合成樹脂成形品からなる箱形のハウジング（図示せず）に上述した各部を収納して構成されているが、当該ハウジングは住宅内の壁面に設置されている住宅用分電盤（住宅盤）に収納可能となっている。但し、当該ハウジングの構造は一例であって、必ずしも住宅盤に収納される必要はない。
【００２５】
次に、個々のサブシステムＳＳｎについて説明する。
【００２６】
サブシステムＳＳ１は、照明器具や空調機器（エアコン）並びに電気錠等の住宅設備（設備機器）Ｘｍ（ｍ＝１，２，…）と、設備機器Ｘｍの制御並びに監視を行うコントローラ（以下、設備機器コントローラと呼ぶ。）Ｃ１と、住宅における使用電流を計測する電流計測装置Ｄとを備えている。ここで、設備機器コントローラＣ１は、自己の配下にある設備機器Ｘ１〜Ｘ４の名称並びに動作状態を文字や記号で表示するための多数のウェブページ（ウェブページ群）を保持しており、端末装置からの要求に応じて当該ウェブページ群の中から適切なウェブページを選んで宅内ネットワークを通じて端末装置に提供（配信）する機能（ウェブサーバ機能）を有している。
【００２７】
また電流計測装置Ｄは、住宅用分電盤（住宅盤）に収納されている主幹ブレーカに流れ込む電流を計測し、その計測値（使用電流）が予め決められている上限値を超えた場合、設備機器コントローラＣ１に機器停止（電源オフ）指令を送信するか、あるいは自己の配下にある設備機器Ｘ３又はＸ４の電源をオフさせて電力の使い過ぎを防止する機能（デマンド制御機能）を有している。但し、必ずしも電流計測装置Ｄに設備機器Ｘ３，Ｘ４の制御及び監視機能を持たせる必要はなく、設備機器コントローラＣ１が上記デマンド制御機能を搭載してもよい。また、電流計測装置Ｄは必須の構成要件ではなく、電流計測装置Ｄを含まないサブシステムＳＳ１であっても構わない。
【００２８】
また、サブシステムＳＳ２は、図２に示すように住宅内における異常発生を検知する１乃至複数種類のセキュリティ機器Ｙ１，Ｙ２と、各セキュリティ機器Ｙ１，Ｙ２の検知情報を収集するセキュリティ受信器ＳＲと、セキュリティ受信器ＳＲが収集した検知情報を受け取るとともに受け取った当該検知情報を応答メッセージにより宅内ネットワークを通じて伝送するコントローラ（以下、セキュリティコントローラと呼ぶ。）Ｃ２とで構成されるセキュリティシステムである。
【００２９】
セキュリティ機器Ｙ１は、例えば、人体から放射される熱線を検出することによる監視領域内への人の侵入検知や、窓に設置されているクレセント錠の施解錠検知、窓の開閉検知等を行う防犯用のセンサを具備し、センサで異常（人の侵入やクレセント錠の解錠等）を検知したときに当該検知情報を無線信号（若しくは有線信号）でセキュリティ受信器ＳＲに送信する機能を有している。また、セキュリティ機器Ｙ２は、煙や熱を検出することによる火災検知や都市ガスあるいはＬＰガスを検出することによるガス漏れ検知等を行う防災用のセンサを具備し、センサで異常（火災発生やガス漏れ等）を検知したときに当該検知情報を無線信号（若しくは有線信号）でセキュリティ受信器ＳＲに送信する機能を有している。
【００３０】
セキュリティ受信器ＳＲは、セキュリティ機器Ｙ１，Ｙ２から送信された無線信号（若しくは有線信号）を受信することで検知情報を収集し、さらに当該検知情報に対応した処理、例えば、火災やガス漏れあるいは不審者の侵入等の異常発生を家人に知らせるために警報音を鳴動する処理を行うとともに検知された異常の種類や場所等の検知情報を無線信号（若しくは有線信号）でセキュリティコントローラＣ２に送信する処理を行う。ここで、セキュリティ機器Ｙ１，Ｙ２には固有の識別符号（ＩＤ）が割り当てられており、セキュリティ受信器ＳＲでは当該識別符号によって個々のセキュリティ機器Ｙ１，Ｙ２の検知情報を識別可能となっている。また、セキュリティ受信器ＳＲは、上述のようにセキュリティ機器Ｙ１，Ｙ２から検知情報を収集する警戒状態と検知情報を収集しない非警戒状態の２つの動作状態があり、例えば、ワイヤレス送信機（図示せず）から送信されるワイヤレス信号によって警戒状態と非警戒状態の２つの動作状態が択一的に切り換えられる。但し、ワイヤレス送信機にも固有の識別符号が割り当てられており、予め登録されている識別符号以外の識別符号が割り当てられたワイヤレス送信機では動作状態の切換が行えないようになっている。
【００３１】
セキュリティコントローラＣ２は、セキュリティ受信器ＳＲから受け取った検知情報を応答メッセージとして宅内ネットワーク（あるいは宅内ネットワークと外部ネットワーク）を通じて端末装置に送信する機能（警報機能）や、端末装置から制御要求のメッセージを受け取ったときにセキュリティ受信器ＳＲにコマンド（切換指令）を送信してセキュリティ受信器ＳＲの動作状態（警戒状態又は非警戒状態）を切り換えたり、あるいはセキュリティ受信器ＳＲによる警報音の鳴動を停止させたり、端末装置から監視要求のメッセージを受け取ったときにセキュリティ受信器ＳＲにコマンドを送信してセキュリティ受信器ＳＲの動作状態（警戒状態又は非警戒状態）を通知させるとともに、制御要求や監視要求に対する応答（セキュリティ受信器ＳＲの動作状態や警報音の鳴動状況等）のメッセージを要求メッセージの送信元である端末装置に向けて送信させる機能（制御監視機能）を有する。また、セキュリティコントローラＣ２は、自己の配下にあるセキュリティ受信器ＳＲの動作状態等を文字や記号で表示するための多数のウェブページ（ウェブページ群）を保持しており、端末装置からの要求に応じて当該ウェブページ群の中から適切なウェブページを選んで宅内ネットワークを通じて端末装置に提供（配信）する機能（ウェブサーバ機能）を有している。
【００３２】
サブシステムＳＳ３は、図２に示すように住戸外に設置されるカメラ付きドアホン子器（以下、ドアホン子器と略す。）ＤＳと、人体から放射される熱線を検出することで監視領域内への人の侵入を検知するとともに当該侵入検知時に監視領域を撮像するセンサカメラＳＣと、住戸内に設置されてドアホン子器ＤＳとの間で通話する通話機能並びにドアホン子器ＤＳ並びにセンサカメラＳＣで撮像された画像を表示する機能を有するインターホン親機ＩＭと、インターホン親機ＩＭよりドアホン子器ＤＳやセンサカメラＳＣで撮像された画像を受け取るとともに受け取った当該画像を外部ネットワークを通じてセンタ装置ＳＶに伝送するコントローラ（以下、画像転送コントローラと呼ぶ。）Ｃ３とで構成されるインターホンシステムである。
【００３３】
ドアホン子器ＤＳは、通話用のマイクロホン並びにスピーカや来訪者を撮像するためのカメラを具備し、マイクロホンで集音した通話音声を通話線を介してインターホン親機ＩＭに伝送し且つインターホン親機ＩＭから通話線を介して伝送される通話音声をスピーカから鳴動させる通話機能と、呼出釦が押操作されたときに通話線を介してインターホン親機ＩＭに呼出信号を送信する呼出機能と、カメラ（例えば、動画像を出力するＣＣＤカメラ）で撮像された画像を周波数変調して通話音声に多重化することで通話線を介してインターホン親機ＩＭに伝送する画像伝送機能とを有している。また、センサカメラＳＣは、人体から放射される熱線を検出することで監視領域内への人の侵入を検知する熱線センサや動画像を出力するＣＣＤカメラ等を具備し、信号線を介して監視領域の画像をドアホン子器ＤＳに伝送する機能を有している。なお、ドアホン子器ＤＳに伝送された画像は通話線を介してインターホン親機ＩＭに転送される。
【００３４】
一方、インターホン親機ＩＭは、全体の制御を行うマイコンや音声処理用のＤＳＰ、通話用のマイクロホン並びにスピーカや画像表示用の液晶ディスプレイ、画像や通話音声を記録する不揮発性の半導体メモリ等を具備し、呼出信号を受信したときにスピーカから呼出音を鳴動する機能と、呼出音の鳴動中又は鳴動後の一定時間内に応答釦が押操作されたときにドアホン子器ＤＳとの間に通話線を介した通話路を形成して通話音声を授受する通話機能と、通話中にドアホン子器ＤＳで撮像され且つ伝送される画像（通話相手を撮像した画像）を周波数復調して液晶ディスプレイに表示する機能と、通話中以外でドアホン子器ＤＳ又はセンサカメラＳＣで撮像され且つドアホン子器ＤＳから伝送される画像を周波数復調して液晶ディスプレイに表示する機能（画像モニタ機能）と、留守録設定中に呼出信号を受信した場合に通話線を介してドアホン子器ＤＳから伝送される画像並びに通話音声を不揮発性の半導体メモリに記録する機能（留守録機能）と、センサカメラＳＣで撮像され且つドアホン子器ＤＳより通話線を介して伝送された画像を不揮発性の半導体メモリに記録する機能（センサカメラ録画機能）と、ドアホン子器ＤＳで特定の操作（例えば、呼出釦の長押し）が行われた場合に通常の呼出音と区別可能な通知音で家人の帰宅を通知する機能（帰宅通知機能）とを有している。
【００３５】
而して、来訪者がドアホン子器ＤＳの呼出釦を押操作すると、常時有効である呼出機能によってインターホン親機ＩＭに通話線を介して呼出信号が伝送され、インターホン親機ＩＭにおいてスピーカから呼出音が鳴動されるとともに、通話線を介してインターホン親機ＩＭから電源が供給されることでドアホン子器ＤＳの画像伝送機能が有効になり、ドアホン子器ＤＳのカメラで撮像された画像がインターホン親機ＩＭの液晶ディスプレイに表示される。そして、液晶ディスプレイに表示された画像で来訪者を確認した家人がインターホン親機ＩＭの応答釦を押操作すれば、通話機能によりドアホン子器ＤＳとの間に通話線を介した通話路が形成されてインターホン親機ＩＭとドアホン子器ＤＳとの間においてスピーカとマイクロホンを使った拡声通話（ハンズフリー通話）が可能になるとともに、通話中においてはインターホン親機ＩＭの液晶ディスプレイにドアホン子器ＤＳから伝送される画像を表示させることが可能になる。但し、インターホン親機ＩＭとドアホン子器ＤＳとの間の拡声通話並びに画像伝送は、応答釦が押操作されてから所定時間が経過するか若しくは再度応答釦が押操作されたときに終了する。また、監視領域における不審者の侵入を検知するとセンサカメラＳＣが撮像した監視領域の画像がドアホン子器ＤＳ経由でインターホン親機ＩＭに伝送されて液晶ディスプレイに表示される。但し、上述のような機能を有するインターホン親機ＩＭ、ドアホン子器ＤＳ、センサカメラＳＣについては、従来周知であるから詳細な構成についての図示並びに説明を省略する。
【００３６】
画像転送コントローラＣ３は、ドアホン子器ＤＳ並びにセンサカメラＳＣからインターホン親機ＩＭに伝送された画像データ及び通話音声データをインターホン親機ＩＭから受け取るとともに受け取ったデータを所定の圧縮方式（例えば、動画像であればＭＰＥＧ４、静止画像であればＪＰＥＧ、音声であればＭＰ３など）で圧縮した後に応答メッセージとして宅内ネットワーク及び外部ネットワークを通じてセンタ装置ＳＶに転送する機能（転送機能）と、インターホン親機ＩＭの留守録機能が有効であるときにインターホン親機ＩＭが画像及び通話音声を記録した旨を宅内ネットワーク並びに外部ネットワークを通じてセンタ装置ＳＶに通知する機能（来客通知機能）と、帰宅通知機能によってインターホン親機ＩＭに家人の帰宅が通知されたときに宅内ネットワーク並びに外部ネットワークを通じてセンタ装置ＳＶに帰宅通知の応答メッセージを転送する機能（帰宅通知転送機能）とを有する。また、画像転送コントローラＣ３は、メモリに記録している画像の一覧等を開示する多数のウェブページ（ウェブページ群）を保持しており、端末装置からの要求に応じて適切なウェブページを選んで宅内ネットワークを通じて端末装置に提供（配信）する機能（ウェブサーバ機能）を有している。
【００３７】
次に、表示制御装置ＣＶについて説明する。表示制御装置ＣＶは住宅内の壁面に埋込配設されるものであって、図３に示すようにマイコンを主構成要素とするマイコン部５０と、宅内ネットワークのＬＡＮケーブルが接続されマイコン部５０と宅内ネットワークのインタフェースを行うＬＡＮインタフェース部５１と、液晶ディスプレイ５２ａ並びにＬＥＤ（図示せず）とそれらのドライバ回路を有する表示部５２と、押釦スイッチや液晶ディスプレイ５２ａの画面上に配設されるタッチパネルを有して操作入力を受け付ける操作部５３と、マイコンで実行するプログラムや種々のデータを記憶するメモリ部５４と、スピーカとスピーカの駆動回路を有するスピーカ部５５とを備えている。また、図示は省略しているが、商用電源から所望の直流電源を作成してマイコン部５０やその他の各部に動作電源を供給するための電源回路も備えている。マイコン部５０にはウェブブラウザが実装されており、各コントローラＣｎ等から提供されるウェブページ並びに予めメモリ部５４に記憶しているウェブページ（以下、内蔵ウェブページと呼ぶ。）をウェブブラウザで再生して表示部５２の液晶ディスプレイ５２ａに表示するとともに、操作部５３のタッチパネルが操作された位置と液晶ディスプレイ５２ａに表示されているアイコン等との位置関係に応じた操作入力を受け付ける。すなわち、マイコン部５０がウェブブラウザ手段であり、操作部５３が操作入力受付手段である。また、メモリ部５４には予め警報音や音声メッセージのデータが圧縮して格納されており、マイコン部５０が必要に応じてメモリ部５４から読み出したデータを伸長してスピーカ部５５に出力すれば、前記警報音や音声メッセージがスピーカから鳴動される。
【００３８】
また本実施形態においては、自ら撮像した画像を宅内ネットワーク経由で配信する機能（ウェブサーバ機能）を有した、いわゆるウェブカメラＷＣがＬＡＮケーブルを介して統合管理装置ＴＭに接続されている（図２参照）。かかるウェブカメラＷＣは従来周知であって、撮像した画像を所定の圧縮方式（例えば、動画像であればＭＰＥＧ４、静止画像であればＪＰＥＧなど）で圧縮してネットワークを通じて配信したり、ネットワークを通じてパンやチルトの遠隔制御が可能である。
【００３９】
ところで本実施形態においては、統合管理装置ＴＭにもウェブサーバ機能が搭載されており、各コントローラＣｎがウェブサーバ機能によって提供するウェブページ群への入り口となるウェブページ（いわゆるポータルサイト）を作成し、宅内ネットワークを通じて住宅内の端末装置（パソコンＰＣや表示制御装置ＣＶ）に提供（配信）している。例えば、表示制御装置ＣＶの液晶ディスプレイ５２ａには、通常、統合管理装置ＴＭで作成された前記ポータルサイトが表示されている。このポータルサイトでは、各コントローラＣｎで提供されるウェブコンテンツ（各サブシステムＳＳｎのウェブページ群）へのリンクがアイコンで表示されており、何れかのアイコン上でタッチパネルが操作されれば、当該アイコンで表示されたリンク先のＵＲＬ（各コントローラＣｎが保有するウェブページ群のＩＰアドレス）に対して表示制御装置ＣＶからウェブコンテンツの送信要求メッセージが送信される。そして、送信要求メッセージを受信したコントローラＣｎが自己の保有するウェブページ群の中から指定されたウェブページを表示制御装置ＣＶに対して送信すれば、前記ポータルサイトに代わって当該コントローラＣｎのウェブページが液晶ディスプレイ５２ａに表示される。
【００４０】
次に、表示制御装置ＣＶを使って設備機器Ｘｍの制御並びに監視を行う場合の動作を、図４のシーケンス図を参照して説明する。
【００４１】
まず、操作部５３の操作釦５３ａが押操作されるとマイコン部５０がＬＡＮインタフェース部５１より統合管理装置ＴＭに対してポータルサイトの送信要求メッセージを送信する（１）。当該メッセージを受け取った統合管理装置ＴＭの制御部１は、サブシステムＳＳ１〜ＳＳ３のウェブページ群へのリンクを示すアイコンや個々のサブシステムＳＳ１〜ＳＳ３の名称を示す文字等を表示するポータルサイトを予め作成して記憶部５に記憶しており、当該メッセージを受け取ったときに記憶部５からポータルサイトのデータを読み出して送信要求元の表示制御装置ＣＶへ送信する（２）。
【００４２】
表示制御装置ＣＶでは、統合管理装置ＴＭから受け取ったウェブページのデータ（ファイル）をマイコン部５０で実行するウェブブラウザで開くことにより、液晶ディスプレイにポータルサイトを表示する（３）。そして、サブシステムＳＳ１のアイコン上でタッチパネルが操作されれば（４）、当該アイコンで表示されたリンク先のＵＲＬ（設備機器コントローラＣ１が保有するウェブページ群のＩＰアドレス）に対して、前記ウェブブラウザによってウェブページの送信要求メッセージが送信される（５）。そして、送信要求メッセージを受信した設備機器コントローラＣ１が自己の保有するウェブページのデータを表示制御装置ＣＶに送信すれば（６）、マイコン部５０で実行するウェブブラウザで当該データ（ファイル）を開くことによりサブシステムＳＳ１のウェブページが表示部５２の液晶ディスプレイに表示される（７）。このウェブページでは、サブシステムＳＳ１に含まれる設備機器Ｘ１〜Ｘ４の名称と設置場所（例えば、「リビングのエアコン」，「リビングの照明」など）を示した文字、各設備機器Ｘ１〜Ｘ４の動作状態を示す文字、各設備機器Ｘ１〜Ｘ４の動作状態を反転させる操作に対応したボタン等が表示され、これらのボタンに各々他のウェブページがリンクしている。従って、ウェブページに表示される情報から各設備機器Ｘ１〜Ｘ４の動作状態を監視（確認）することができる（８）。
【００４３】
ここで、何れかの設備機器Ｘｍの動作状態を反転させる制御、例えば、現在点灯している照明器具（設備機器Ｘ２）を消灯させる制御を行う場合、ウェブページにおいて設備機器Ｘ４の動作状態を反転させる操作に対応したボタン上でタッチパネルを操作する（９）。すると、前記ウェブブラウザによって当該ボタンが操作されたことを示すメッセージ、つまり、照明器具（設備機器Ｘ２）の消灯制御を要求するメッセージ（要求メッセージ）が宅内ネットワークを通じて設備機器コントローラＣ１のネットワークアドレス宛に送信される（１０）。そして、この要求メッセージを受け取った設備機器コントローラＣ１が照明器具（設備機器Ｘ２）を消灯する（１１）。その後、設備機器コントローラＣ１は照明器具（設備機器Ｘ２）の消灯に対応したウェブページのデータを表示制御装置ＣＶに送信し（１２）、表示制御装置ＣＶのマイコン部５０で実行するウェブブラウザで当該データ（ファイル）を開くことによりサブシステムＳＳ１の他のウェブページが表示部５２の液晶ディスプレイ５２ａに表示される（１３）。当該ウェブページでは、照明器具（設備機器Ｘ２）の動作状態が点灯から消灯に変更されている。但し、何らかの原因で設備機器Ｘｍの制御に失敗した場合、設備機器コントローラＣ１が制御に失敗した旨の応答メッセージを作成して表示制御装置ＣＶに送信し、表示制御装置ＣＶの表示部５２（液晶ディスプレイ５２ａ）にエラーメッセージ（要求された設備機器Ｘｍの制御に失敗した旨の文字）が表示される。
【００４４】
次に、携帯型の端末装置（例えば、携帯電話機ＭＰ）を使って住宅の外から設備機器Ｘｍの制御並びに監視を行う場合の動作を、図１０のシーケンス図を参照して説明する。ここで、外部ネットワーク（インターネット）に対して各コントローラＣｎのウェブサーバ機能がポートを常時開放していると、例えば、悪意を持った侵入者によってシステムに異常を来す虞が高くなるので、本実施形態においては、各コントローラＣｎのウェブサーバ機能が通常はポートを閉じつつセンタ装置ＳＶに対して定期的にポーリングを行い、携帯型の端末装置から受け取った要求メッセージがセンタ装置ＳＶに保持されていれば、当該要求メッセージの宛先のコントローラＣｎによるポーリング時にセンタ装置ＳＶから要求メッセージを転送することで宅内ネットワークを保護している。
【００４５】
上述のように各コントローラＣｎからセンタ装置ＳＶに対して定期的にポーリングが行われ、センタ装置ＳＶに携帯電話機ＭＰからの要求メッセージが保持されていなければ、センタ装置ＳＶからは単に肯定応答（ＡＣＫ）がコントローラＣｎに返信されるだけである。ここで、家人が携帯電話機ＭＰを使って要求メッセージ（例えば、照明器具の動作状態の監視要求メッセージ）をセンタ装置ＳＶに送信し（１）、当該監視要求メッセージがセンタ装置ＳＶで保持された後に設備機器コントローラＣ１からポーリングされると（２）、センタ装置ＳＶは携帯電話機ＭＰから受け取って保持していた前記監視要求メッセージを設備機器コントローラＣ１に対して送信（転送）する（３）。この監視要求メッセージを受け取った設備機器コントローラＣ１では、照明器具（設備機器Ｘ２）の現在の動作状態（例えば、点灯）を示す監視応答メッセージを作成してセンタ装置ＳＶに返信する（４）。当該監視応答メッセージはセンタ装置ＳＶから携帯電話機ＭＰに転送され（５）、携帯電話機ＭＰの液晶画面にセンサ装置ＳＶから転送された監視応答メッセージが表示されることで照明器具の動作状態（点灯）が確認できる。
【００４６】
また、家人が携帯電話機ＭＰを使って要求メッセージ（例えば、照明器具を消灯する制御要求メッセージ）をセンタ装置ＳＶに送信し（６）、当該制御要求メッセージがセンタ装置ＳＶで保持された後に設備機器コントローラＣ１からポーリングされると（７）、センタ装置ＳＶは携帯電話機ＭＰから受け取って保持していた前記制御要求メッセージを設備機器コントローラＣ１に対して送信（転送）する（８）。この制御要求メッセージを受け取った設備機器コントローラＣ１が照明器具（設備機器Ｘ２）を消灯する（９）。その後、設備機器コントローラＣ１が照明器具（設備機器Ｘ２）を消灯したことを示す制御応答メッセージを作成してセンタ装置ＳＶに返信する（１０）。当該制御応答メッセージはセンタ装置ＳＶから携帯電話機ＭＰに転送され（１１）、携帯電話機ＭＰの液晶画面にセンサ装置ＳＶから転送された制御応答メッセージが表示されることで照明器具が消灯したことが確認できる。但し、制御要求メッセージを送信してから制御応答メッセージが返信されるまでに相当の時間（例えば、数分間）を要する場合、制御要求メッセージを受け取った旨のメッセージをセンタ装置ＳＶから携帯電話機ＭＰに送信することが望ましい。
【００４７】
次に、セキュリティシステムＳＳ２において、セキュリティコントローラＣ２がセキュリティ受信器ＳＲから異常発生（例えば、火災やガス漏れの発生あるいは不審者の侵入など）を示す検知情報を取得した場合の動作を、図５のシーケンス図を参照して説明する。
【００４８】
何れかのセキュリティ機器Ｙ１，Ｙ２で異常が検出され、セキュリティコントローラＣ２がセキュリティ受信器ＳＲから異常発生の検知情報を取得すると（１）、セキュリティコントローラＣ２は当該検知情報を含む応答メッセージ（以下、連携メッセージと呼ぶ。）を作成して宅内ネットワーク内に一斉同報（ブロードキャスト）する（２）とともに、センタ装置ＳＶにも異常発生通報のためのメッセージを送信する（３）。
【００４９】
前記連携メッセージを受け取った表示制御装置ＣＶでは、マイコン部５０が受け取った連携メッセージに含まれる検知情報から発生した異常の内容（例えば、火災やガス漏れの発生あるいは不審者の侵入など）を判断し、その内容に応じた警報音（例えば、「火災が発生しました。すぐに避難してください。」あるいは「不審者が侵入しました。」などの音声メッセージ）をスピーカ部５５に鳴動させるとともに、異常の内容に応じた警報表示（例えば、「○○で火災が発生しました。」あるいは「××に不審者が侵入しました。」などのメッセージ）を表示部５２の液晶ディスプレイ５２ａに表示させる（４）。
【００５０】
また、センタ装置ＳＶでは、セキュリティコントローラＣ２から受け取った異常発生の通報メッセージを、予め登録されている携帯電話機ＭＰのメールアドレスに送信することで異常の発生を外出中の家人に通知する（５）。
【００５１】
一方、連携メッセージを受け取った他のコントローラ、すなわち、設備機器コントローラＣ１と画像転送コントローラＣ３においては、受け取った連携メッセージに含まれる検知情報から発生した異常の内容を判断し、予め決められているルールに則り、必要であれば異常の内容に応じた制御動作を実行する（６）。例えば、火災が発生している場合に設備機器コントローラＣ１が照明器具を点灯することで避難し易くしすることが可能である。但し、ガス漏れが発生している場合、設備機器Ｘｍの動作状態が切り換えられると電源のオン又はオフに伴って発生した火花が漏れたガスに引火する虞があるので、設備機器コントローラＣ１では、仮に制御要求メッセージを受け取っても全ての設備機器Ｘｍについての制御を無効とする。
【００５２】
ところで、統合管理装置ＴＭの制御部１が有するネットワークセキュリティ機能では、パソコンＰＣやウェブカメラＷＣのような汎用の通信端末については使用者自らがネットワークセキュリティを実施可能であるから、主に各サブシステムＳＳｎのコントローラＣｎに対するネットワークセキュリティを実施している。ここで、制御部１におけるネットワークセキュリティ機能について、さらに詳しく説明する。
【００５３】
制御部１は、各コントローラＣｎによる定期的なポーリングに対して返信されるパケットにパケットフィルタリングを行い、送信元ＩＰアドレスがセンタ装置ＳＶのＩＰアドレス（グローバルＩＰアドレス）に一致しないときは当該パケットを破棄することにより、センタ装置ＳＶのなりすましによる不正アクセスを防止している。また、各コントローラＣｎに対する通信帯域を確保するため、制御部１では、汎用の通信端末（例えば、パソコンＰＣ）が大容量のファイルをダウンロードする場合等に当該通信端末が接続されている通信ポート２iの帯域を制限する。さらに、通信ポート２i，３を通過するブロードキャストパケットやエラーパケットの量が所定値を超える場合、制御部１は異常と判断して該当する通信ポート２i，３を遮断又は制限する。さらに、通信ポート２i，３の遮断や制限を実行した場合、制御部１は、遮断又は制限している通信ポート（例えば、２2）に割り当てられている名称と当該通信ポート２2の遮断又は制限を実行中であることを知らせるメッセージを作成して表示制御装置ＣＶに送信する。そして、表示制御装置ＣＶにおいては、統合管理装置ＴＭから受け取った前記メッセージを表示部５２の液晶ディスプレイに表示して利用者（家人）に通信ポート２2の異常を知らせるのである。
【００５４】
ここで、通信ポート２2を特定するための特定情報として従来例のように単なる番号を使った場合、利用者には通信ポート２2と当該通信ポート２2に接続されている通信端末（コントローラＣｎや端末装置）との対応が判りづらく、利便性が低くなってしまうが、本実施形態では各通信ポート２i，３に予め任意の名称を割り当てておくことができるから、通信端末と通信ポート２i，３との対応関係を判りやすくなり、従来例に比べて利便性が向上できるものである。例えば、設備機器コントローラＣ１が接続されている通信ポート２iに「設備機器コントローラ」という名称を割り当てたり、リビングに設置されたウェブカメラＷＣが接続されている通信ポート２iに「リビング」という名称を割り当てることができる。なお、上述のような通信ポート２iの異常通知だけでなく、例えば、宅内ネットワークに新たに通信端末が追加された場合に、追加された通信端末の種類（例えば、ウェブカメラＷＣなど）と当該通信端末が接続された通信ポート２iの名称を統合管理装置ＴＭから表示制御装置ＣＶに送信してもよい。例えば、「子供部屋」という名称が割り当てられている通信ポート２iに新たにウェブカメラＷＣが接続されたとすると、「子供部屋にウェブカメラが接続されました。」というメッセージが表示制御装置ＣＶで表示される。
【００５５】
次に、上述のように統合管理装置ＴＭの通信ポート２iに名称を割り当てる動作について、図７のシーケンス図を参照して説明する。
【００５６】
まず、操作部５３の操作釦５３ａを押操作してマイコン部５０が統合管理装置ＴＭに対してポータルサイトの送信要求メッセージを送信すると（１）、当該メッセージを受け取った統合管理装置ＴＭの制御部１からポータルサイトのデータが表示制御装置ＣＶへ送信される（２）。
【００５７】
表示制御装置ＣＶでは、統合管理装置ＴＭから受け取ったウェブページのデータ（ファイル）をマイコン部５０で実行するウェブブラウザで開くことにより、液晶ディスプレイにポータルサイトを表示する（３）。そして、ポータルサイトに用意されている名称割当用のアイコン上でタッチパネルが操作（選択）されれば（４）、統合管理装置ＴＭに対して名称割当用ウェブページの送信要求メッセージが送信される（５）。そして、送信要求メッセージを受信した統合管理装置ＴＭの制御部１が名称割当用ウェブページのデータを表示制御装置ＣＶに送信すれば（６）、マイコン部５０で実行するウェブブラウザで当該データ（ファイル）を開くことにより名称割当用ウェブページが表示部５２の液晶ディスプレイに表示される（７）。
【００５８】
このウェブページでは、既に割り当てられている名称並びに各通信ポート２iに接続されている通信端末（コントローラＣｎや端末装置など）の種類、さらには各コントローラＣｎの配下にある住宅設備（設備機器Ｘｍやセキュリティ機器Ｙｎ等）の種類と通信ポート２iの対応関係（名称割当情報）が一覧表示されるとともに、名称割当対象の通信ポート２iを選択するためのボタン等が表示され、当該ボタン上でタッチパネルが操作されて何れかの通信ポート（例えば、２2）が選択されると（８）、マイコン部５０で実行するウェブブラウザでメモリ部５４に記憶している名称入力用の内蔵ウェブページを読み出して表示部５２の液晶ディスプレイに表示する。この名称入力用内蔵ウェブページでは、操作部５３のタッチパネルを使って平仮名や片仮名、英数字等の文字入力を受け付けるためのボタンＢ１〜Ｂ１６と入力された文字を表示する入力文字表示領域Ｗを表示する（図８参照）。例えば、利用者がボタンＢｋ（ｋ＝１〜１６）上でタッチパネルを操作して「こどもべや」という文字を入力し、さらに「漢字」のボタンＢ１４上でタッチパネルを操作すると、マイコン部５０が搭載している日本語入力システムにより「こどもべや」の平仮名が「子供部屋」の漢字に変換される。そして、名称割当のデータ（選択された通信ポート２2を示すデータと「子供部屋」の文字列のテキストデータ）が操作部５３で入力受付されると（９）、当該名称割当データをマイコン部５０がＬＡＮインタフェース部５１より統合管理装置ＴＭに送信する（１０）。
【００５９】
一方、統合管理装置ＴＭでは、表示制御装置ＣＶから受け取った名称割当データに基づいて選択された通信ポート２2の名称として、名称割当手段たる制御部１が名称割当データに含まれている文字列（「子供部屋」）のテキストデータを割り当てて記憶部５に記憶する（１１）。これ以降、通信ポート２2で異常が発生した際、制御部１が通信ポート２2に割り当てられている名称（「子供部屋」）を記憶部５から読み出し、特定情報として表示制御装置ＣＶに通知するため、通信端末と通信ポート２2の対応関係が利用者に判りやすくなる。なお、上述の名称割当処理は表示制御装置ＣＶ以外の端末装置、例えば、入力手段（キーボード）と表示手段（ディスプレイ）を有するパソコンＰＣでも実行可能である。
【００６０】
また、統合管理装置ＴＭに操作入力受付手段（ディップスイッチやテンキーなど）を設け、この操作入力受付手段で受け付けた名称を制御部１が通信ポート２iの名称に割り当てて記憶部５に記憶するようにしても構わない。この場合、上述のように日本語入力システムを使って任意の文字列を入力することも可能であるが、予め用意した複数の名称候補の中からディップスイッチを使って選択できるようにしても構わない。
【００６１】
あるいは、ＵＰｎＰのデバイスに相当する通信端末（例えば、ウェブカメラＷＣ等）が通信ポート２iに接続されたとき、コントロールポイントに相当する統合管理装置ＴＭの制御部１が取得するデバイス情報に基づいて、当該通信端末が接続された通信ポート２iに名称を割り当てるようにしても構わない。例えば、リビングに設置されることを想定したウェブカメラＷＣのデバイス情報に「リビング」というメッセージが含まれている場合、ウェブカメラＷＣからＵＰｎＰによって前記メッセージを受け取った統合管理装置ＴＭの制御部１ではウェブカメラＷＣが接続された通信ポート２iに「リビング」という名称を割り当てるのである。同様に、サブシステムＳＳｎのコントローラＣｎがシステムに追加されたときに、ＵＰｎＰのデバイスに相当するコントローラＣｎから受け取ったデバイス情報に含まれる機種情報（例えば、「設備機器コントローラ」や「セキュリティコントローラ」などの機種名）に基づいて、統合管理装置ＴＭの制御部１が当該コントローラＣｎの接続された通信ポート２iの名称としてコントローラＣｎの機種名を割り当てるようにしてもよい。
【００６２】
ところで、通信端末には統合管理装置ＴＭの通信ポート２iに接続するＬＡＮケーブルが壁裏や天井裏に配線されるもの（コントローラＣｎの一部や表示制御装置ＣＶなど）と、宅内の壁面に埋込配設されている情報コンセントのモジュラジャックにＬＡＮケーブルで接続されるものとがある。かかる情報コンセント１００は従来周知であって、図９に示すようにＲＪ−４５のモジュラプラグが挿抜自在に接続されるモジュラジャック１０１と、引掛形（抜け止め形）コンセント１０２と、所謂テレビコンセント１０３並びに電話用のモジュラジャック１０４とが大角形連用配線器具の取付枠（ＪＩＳ  Ｃ８３７５参照）並びに連用プレート（ＪＩＳ  Ｃ８３１６参照）１１０を用いて宅内の壁面に埋込配設されてなり、統合管理装置ＴＭの通信ポート２iに接続され且つ壁裏や天井裏に配線されたＬＡＮケーブルと、例えば、パソコンＰＣに接続するＬＡＮケーブルとをモジュラジャックＭＪを介して接続するものである。従って、パソコン（特にノート型のパソコン）ＰＣのように可搬型の端末装置の場合、宅内に幾つか配設されている情報コンセント１００の何れに接続することも可能である。そのため、パソコンＰＣを使って通信ポート２iの名称割当を行う場合、そのパソコンＰＣが情報コンセント１００経由で接続されている通信ポート２iを含む全ての名称を割当可能にすると、意図しない名称が誤って割り当てられてしまう虞がある。
【００６３】
そこで、パソコンＰＣを使って名称割当を行う場合には、統合管理装置ＴＭの制御部１により、名称割当可能な通信ポート２iを当該パソコンＰＣが接続されている通信ポート２iに限定すれば、上述のように誤って意図しない名称が割り当てられるのを防止できる。具体的には、名称割当用ウェブページにおいて通信ポート２iを選択するためのボタンやアイコンを表示せず、制御部１において、パソコンＰＣが接続されている通信ポート２iを自動的に名称割当対象に選択すればよい。
【００６４】
なお、情報コンセント１００に操作入力受付手段（ディップスイッチやテンキーなど）並びに通信手段（ＬＡＮインタフェース）を設け、この操作入力受付手段で受け付けた名称のデータを通信手段がモジュラジャック１０１に接続されているＬＡＮケーブルを介して統合管理装置ＴＭに送信し、統合管理装置ＴＭの制御部１において、受け取った名称を当該情報コンセント１００が接続されている通信ポート２iの名称に割り当てて記憶部５に記憶するようにしても構わない。
【図面の簡単な説明】
【００６５】
【図１】本実施形態における統合管理装置（ネットワーク装置）のブロック図である。
【図２】同上のシステム構成図である。
【図３】同上における表示制御装置のブロック図である。
【図４】同上における動作説明用のシーケンス図である。
【図５】同上における動作説明用のシーケンス図である。
【図６】同上における動作説明用のシーケンス図である。
【図７】同上における名称割当手順を説明するためのシーケンス図である。
【図８】同上における名称入力用の内蔵ウェブページを説明する説明図である。
【図９】同上における情報コンセントの正面図である。
【符号の説明】
【００６６】
ＴＭ  統合管理装置（ネットワーク装置）
１  制御部
２1〜２n  通信ポート
３  通信ポート
４  パケット処理部
５  記憶部
【図１】
2007259301.tif 000003
【図２】
2007259301.tif 000004
【図３】
2007259301.tif 000005
【図４】
2007259301.tif 000006
【図５】
2007259301.tif 000007
【図６】
2007259301.tif 000008
【図７】
2007259301.tif 000009
【図８】
2007259301.tif 000010
【図９】
2007259301.tif 000011